(57)【特許請求の範囲】
【請求項１】
上方部分、下方部分および両側部を有し互いに重ね合わされた一対のシートの一側部が接合されて第１接合部が形成されたマスク本体と、このマスク本体の前記一対のシートのそれぞれの他側部から突設された耳掛け部とを具備し、装着時に前記マスク本体が左右に開かれて前記第１接合部が前方へと突出する立体型マスクであって、
前記マスク本体と前記耳掛け部とは、互いに別体で構成され、前記一対のシートの他側部で互いに重なり合って接合されて、前記一対のシートの他側部に沿って線状の第２接合部が形成され、
前記マスク本体と前記耳掛け部との重なり合っている部分でかつ前記第２接合部の近傍であるこれら第２接合部の間に、装着位置を確認可能にする目印部としての第３接合部が、前記マスク本体と前記耳掛け部との接合により形成されている
ことを特徴とした立体型マスク。
【請求項２】
目印部は、少なくともいずれか一方のシートの上方部分と下方部分との少なくともいずれか一方に設けられている
ことを特徴とした請求項１記載の立体型マスク。
【請求項３】
目印部は、シートの断面方向に凹状に形成された凹部と前記シートの断面方向に凸状に形成された凸部との少なくともいずれか一方を有している
ことを特徴とした請求項１または２記載の立体型マスク。
【発明の詳細な説明】
【技術分野】
【０００１】
本発明は、装着者の鼻孔および口元を覆う立体型マスクに関する。
【背景技術】
【０００２】
従来、マスクは、その形状から大別して、平板型マスクと立体型マスクとに分類される。
【０００３】
そして、立体型マスクは、平板型マスクと異なり、着用時に装着者の唇、あるいは鼻孔に対して内側面との間に空間が形成されているため、マスク内側面に装着者の唇、あるいは鼻孔が接触することがなく、口紅が付着したり、息苦しさを感じたりすることがなく、一般的に、平板型マスクと比較して装着感が良好といえる。
【０００４】
従来、この種の立体型マスクとして、２枚の同一の単層不織布シートからなり、これら不織布シートの一側部の上部に先細部を裁断形成し、この先細部の下部に口部を形成し、前記不織布シートを重ね合わせて位置合わせした状態で先細部と口部とを圧着してマスク本体を形成し、これら不織布シートと異なる密度の材質から製造される耳掛け部を形成したものが知られている（例えば、特許文献１参照。）。
【特許文献１】登録実用新案第３０６３１２１号公報（第６頁、図１）
【発明の開示】
【発明が解決しようとする課題】
【０００５】
しかしながら、上述の立体型マスクは、装着性の良さと快適性とを向上させることが可能なものであるが、その効果が発揮できない場合があった。
【０００６】
すなわち、上述の立体型マスクの構成は、密着性や装着感を良好にするために、マスク本体の上方部分が装着者の鼻側、下方部分が装着者の顎側に位置するように装着位置が決められているにも拘らず、どちらが鼻側あるいは顎側に位置するのかの装着位置がわかりにくく、装着者が上下逆に装着してしまうことがある。
【０００７】
また、特にマスク本体と耳掛け部とが異なる素材で構成されていると、マスク本体と耳掛け部との接合が弱くなる場合があり、耳掛け部がマスク本体から外れてしまい、立体型マスクが使用不能になる問題がある。一方で、耳掛け部がマスク本体から外れてしまわないように接合を強固にするために、マスク本体と耳掛け部とを面状に接合した場合、接合部分が硬くなってしまい、装着感が悪化する問題がある。
【０００８】
本発明は、このような点に鑑みなされたもので、装着位置を容易に確認できる立体型マスクを提供することを目的とする。また、本発明は、良好な装着感を得ることができるとともに、マスク本体から耳掛け部が外れてしまうことを防止できる立体型マスクを提供することを目的とする。
【課題を解決するための手段】
【０００９】
請求項１記載の立体型マスクは、上方部分、下方部分および両側部を有し互いに重ね合わされた一対のシートの一側部が接合されて第１接合部が形成されたマスク本体と、このマスク本体の前記一対のシートのそれぞれの他側部から突設された耳掛け部とを具備し、装着時に前記マスク本体が左右に開かれて前記第１接合部が前方へと突出する立体型マスクであって、前記マスク本体と前記耳掛け部とは、互いに別体で構成され、前記一対のシートの他側部で互いに重なり合って接合されて、前記一対のシートの他側部に沿って線状の第２接合部が形成され、前記マスク本体と前記耳掛け部との重なり合っている部分でかつ前記第２接合部の近傍であるこれら第２接合部の間に、装着位置を確認可能にする目印部としての第３接合部が、前記マスク本体と前記耳掛け部との接合により形成されているものである。
【００１０】
請求項２記載の立体型マスクは、請求項１記載の立体型マスクにおいて、目印部は、少なくともいずれか一方のシートの上方部分と下方部分との少なくともいずれか一方に設けられているものである。
【００１１】
請求項３記載の立体型マスクは、請求項１または２記載の立体型マスクにおいて、目印部は、シートの断面方向に凹状に形成された凹部と前記シートの断面方向に凸状に形成された凸部との少なくともいずれか一方を有しているものである。
【発明の効果】
【００１２】
請求項１記載の発明によれば、別体に設けたマスク本体と耳掛け部との接合により、第２接合部を一対のシートの他側部に沿って線状に形成することで、第２接合部近傍のマスク本体と耳掛け部とが重なり合っている部分全体が硬くなってしまうことがなく、良好な装着感を得ることができるとともに、装着位置を確認可能にする目印部としての第３接合部を、マスク本体と耳掛け部との重なり合っている部分でマスク本体と耳掛け部とを接合して第２接合部の近傍であるこれら第２接合部の間に設けることで、この第３接合部を介して装着位置を容易に確認でき、かつ、目印部の近傍が皺になりにくく、目印部が隠れてしまうことを防止できるとともに、第３接合部によりマスク本体から耳掛け部が外れてしまうことを防止できる。
【００１３】
請求項２記載の発明によれば、目印部を、少なくともいずれか一方のシートの上方部分と下方部分との少なくともいずれか一方に設けることで、装着位置を、より容易に確認できる。
【００１４】
請求項３記載の発明によれば、目印部が凹部と凸部との少なくともいずれか一方を有することで、目印部を目視で確認する他に、凹凸の感触によっても装着位置を確認できるので、装着位置を、より容易に確認できる。
【発明を実施するための最良の形態】
【００１５】
以下、本発明の第１の関連技術の立体型マスクの構成を図１および図２を参照して説明する。
【００１６】
図１および図２において、１は使い捨ての立体型マスクを示し、この立体型マスク１は、左右に横長のマスク本体２と、このマスク本体２の外側縁に接合されてマスク本体２の両側部に形成された耳掛け部３，３とを備えている。
【００１７】
マスク本体２は、左右一対のシート５，５の内側面を重ね合わせてその一側部を互いに接合して第１接合部６が上下方向に沿って形成され、装着時に左右に開くことで第１接合部６を含む第１接合部６の周辺が前方へと突出して立体状に形成されるように構成されている。
【００１８】
各シート５は、例えば単層の不織布シート、あるいは複数層のシート状の部材が重ね合わされて形成されたシートなどの、通気性を有する比較的薄手のものである。また、各シート５は、装着状態で装着者の鼻側に位置する上方部分11と、装着状態で装着者の顎側に位置する下方部分12とを、それぞれ備えている。さらに、両シート５，５には、目印部13，13がそれぞれ設けられている。
【００１９】
上方部分11は、各シート５の各耳掛け部３側である他側部側から第１接合部６側である一側部側へと、上方向に徐々に突出するように形成されている。したがって、これら上方部分11により、マスク本体２の上部が第１接合部６にて最も上側に突出するように形成され（図２）、この突出部分が装着状態で装着者の鼻を両側から覆うように構成されている。
【００２０】
下方部分12は、各シート５の各耳掛け部３側である他側部側から第１接合部６側である一側部側へと、下方向に徐々に突出するように形成されている。したがって、これら下方部分12により、マスク本体２の下部が第１接合部６にて最も下側に突出するように形成され（図２）、この突出部分が装着状態で装着者の顎の先端を両側から覆うように構成されている。
【００２１】
また、目印部13は、例えば「マスク」などの文字が印字されたもので、各シート５の外側面の任意の位置に貼着され、マスク本体２の上下方向、すなわち立体型マスク１の装着位置を目視により確認可能となっている。
【００２２】
なお、この目印部13は、両シート５，５にそれぞれ設けることが好ましいが、いずれか一方のシート５のみに設けてもよい。また、印字された文字は、上下対称、あるいは左右対称などのものでなければ、任意に選択できる。
【００２３】
第１接合部６は、例えば熱シール、超音波シール、あるいは接着剤による接着などで形成され、正面視で上下方向に略直線状、かつ、側面視で、上下方向の略中心域よりも上側の部分、すなわち装着時に装着者の鼻の先端を覆う部分が最大に前に突出するように湾曲形成されている。
【００２４】
耳掛け部３，３は、装着者の耳にそれぞれ係合させるループ状のものであり、例えばマスク本体２と別体に形成され、シート５，５のそれぞれの第１接合部６と反対側、すなわち他側部にて接合され、第２接合部14を形成している。
【００２５】
この第２接合部14は、本関連技術では、マスク本体２の各シート５の他端部の内側面に各耳掛け部３の側部をそれぞれ重ね合わせ、この重なり合った部分全体を接合して上下方向に帯状に形成されている。なお、この第２接合部14は、例えば熱シール、超音波シール、あるいは接着剤などの任意の方法により形成されるが、第１接合部６と同じ接合方法とすることが製造上好ましい。
【００２６】
また、耳掛け部３，３とマスク本体２とは、同一素材、あるいは異なる素材で構成しても構わないが、好ましくは、マスク本体２を非伸縮性の素材とし、耳掛け部３を伸縮性の素材とする。
【００２７】
次に、上記第１の関連技術の作用効果を説明する。
【００２８】
上記立体型マスク１の装着に際しては、耳掛け部３，３を持ってマスク本体２を左右に開き、これら耳掛け部３，３を、それぞれ耳に掛ける。
【００２９】
このとき、マスク本体２を構成するシート５，５に立体型マスク１の装着位置を確認可能な目印部13を設けることで、装着者が上下逆にして立体型マスク１を装着することを確実に防止でき、立体型マスク１を装着し易くなる。
【００３０】
そして、このように立体型マスク１を、上下方向を正しく装着できることにより、上方部分11が装着者の鼻に、下方部分12が装着者の顎に、それぞれ確実に密着し、装着者の顔との隙間からの花粉などの侵入を確実に抑制できる。
【００３１】
また、目印部13を、シート５，５の外側面に設けることにより、シート５，５を重ね合わせたままの状態でも、目印部13を介して立体型マスク１の装着位置を容易に確認できる。
【００３２】
さらに、両シート５，５のそれぞれに目印部13を設けることにより、立体型マスク１のいずれの側部からも目印部13を容易に目視確認できる。
【００３３】
なお、上記第１の関連技術において、目印部13は、図３に示すように、立体型マスク１により覆われる装着者の顔の鼻部から顎部にかけての部分を模した絵などとしたり、記号、色、あるいはそれらの組み合わせとしたりするなど、立体型マスク１の装着位置を確認できるものであれば、任意に設定できる。
【００３４】
また、目印部13は、シート５の内側面に形成したり、シート５の内側面と外側面との双方に形成したりしてもよい。シート５の内側面に形成する場合には、装着時にマスク本体２を開いた際に装着位置を確認できるとともに、装着状態で目印部13が外部から見えることがないので、見栄えが悪くなることがない。
【００３５】
次に、第２の関連技術を図４を参照して説明する。なお、上記第１の関連技術と同様の構成および作用については、同一符号を付してその説明を省略する。
【００３６】
この第２の関連技術は、第１の関連技術の目印部13に代えて、目印部15をシート５，５の上方部分11，11に設けたものである。
【００３７】
各目印部15は、例えば上方向に向けられた矢印などであり、マスク本体２の上側を示して立体型マスク１の装着位置を装着者に示すように構成されている。
【００３８】
そして、マスク本体２を構成するシート５，５に立体型マスク１の装着位置を確認可能な目印部15を設けることで、上記第１の関連技術と同様の効果を奏することが可能になる。
【００３９】
また、目印部15を上方部分11に設けることにより、装着者が立体型マスク１の装着位置を、より容易に確認できる。
【００４０】
なお、上記第２の関連技術において、目印部15は下方部分12に設けてもよい。この場合には、例えば目印部15を下方向に向けた矢印などとすることで、上記第２の関連技術と同様の作用効果を奏することができる。
【００４１】
また、図５に示すように、目印部15を、上方部分11と下方部分12とのそれぞれに設ける構成も可能である。この場合には、例えば上方部分11に位置する目印部15を「上」（あるいは「鼻」）と印字した文字とし、下方部分12に位置する目印部15を「下」（あるいは「顎」）と印字した文字などとする。そして、このように上方部分11と下方部分12との両方に目印部15を設けることにより、立体型マスク１の装着位置を、より確実に目視確認できる。
【００４２】
次に、第３の関連技術を図６を参照して説明する。なお、上記各関連技術と同様の構成および作用については、同一符号を付してその説明を省略する。
【００４３】
この第３の関連技術は、上記各関連技術の目印部13，15に代えて、目印部としての凹部17をシート５，５に設けたものである。
【００４４】
凹部17は、例えばエンボス加工などにより各シート５の断面方向に凹状に形成され、例えば各シート５の下方部分12に設けられている。
【００４５】
そして、マスク本体２を構成するシート５，５に立体型マスク１の装着位置を確認可能な凹部17を設けることで、上記各実施の形態と同様の作用効果を奏することができる。
【００４６】
また、目印部を凹部17とすることで、凹部17を目視で確認して立体型マスク１の装着位置を確認できる他に、凹部17の感触によっても装着位置を確認できるので、例えば暗闇など凹部17を目視確認しにくい状況下で立体型マスク１を装着する場合などでも、装着位置を間違えてしまうことを確実に防止できる。
【００４７】
なお、上記第３の関連技術において、凹部17は、上方部分11に設けても上記第３の関連技術と同様の作用効果を奏することができる。
【００４８】
また、凹部17は、例えば文字、矢印などの記号、あるいは任意の図柄などを象ったものとすることも可能であり、立体型マスク１の装着位置を示すことができれば、シート５のどの位置に設けてもよい。
【００４９】
さらに、目印部は、シート５の断面方向に凸状に形成された凸部としても上記第３の関連技術と同様の作用効果を奏することが可能である。この場合には、例えばマスク本体２の目印部以外の部分をシート５の断面方向に凹ませてそれぞれ目印部を凸状に形成する。
【００５０】
そして、製造時に、シート５の外側面と内側面との両方から凹部、あるいは凸部を形成する構成とすることも可能である。この場合には、外側面と内側面との両方から確認できる目印部が形成でき、使い勝手が向上するとともに、例えば同一のシート５の外側面と内側面との凹部、あるいは凸部を同じ位置に形成すれば、製造時にこれら凹部あるいは凸部を同時に形成することも可能となり、製造も容易である。
【００５１】
また、上記各関連技術において、マスク本体２と耳掛け部３，３とは別体としたが、これらマスク本体２と耳掛け部３，３とは一体に形成してもよく、また、耳掛け部３，３は、マスク本体２の外側面側に接合されていてもよい。
【００５２】
次に、第４の関連技術を図７を参照して説明する。なお、上記各関連技術と同様の構成および作用については、同一符号を付してその説明を省略する。
【００５３】
この第４の関連技術は、マスク本体２のシート５，５と耳掛け部３，３とが重なり合っている第２接合部14に目印部21が設けられているものである。
【００５４】
この目印部21は、例えば第２接合部14の上側寄りの位置に、上方向に向けて三角形状となるように形成されている。なお、この目印部21は、第２接合部14の下側寄りの位置に設ける場合には、例えば下方向に向けて三角形状とするなど、立体型マスク１の装着位置を確認できるように構成すれば、その形状および配置などは問わない。
【００５５】
そして、マスク本体２を構成するシート５，５に立体型マスク１の装着位置を確認可能な目印部21を設けることで、上記各関連技術と同様の作用効果を奏することができる。
【００５６】
また、別体に設けたマスク本体２と耳掛け部３，３との重なり合っている部分に目印部21を設けることで、目印部21の近傍が皺になりにくく、皺の発生により目印部21が隠れてしまうことを防止できる。
【００５７】
次に、一実施の形態を図８を参照して説明する。なお、上記各関連技術と同様の構成および作用については、同一符号を付してその説明を省略する。
【００５８】
この一実施の形態は、第２接合部14が、マスク本体２のシート５，５と耳掛け部３，３とが重なり合っている部分にシート５，５の他側部に沿って線状に形成され、第２接合部14の近傍であるこれら第２接合部14の間に、目印部としての第３接合部23が形成されているものである。
【００５９】
すなわち、第２接合部14は、マスク本体２のシート５，５の他側縁部と、耳掛け部３，３の側縁部とのそれぞれに沿って上下方向に連続形成されている。なお、これら第２接合部14は、上下方向に断続的に形成されるものなどでもよい。
【００６０】
また、第３接合部23は、例えば第２接合部14間の上側寄りの位置に、上方向に向けて三角形状となるように形成されている。なお、この第３接合部23は、第２接合部14の下側寄りの位置に設ける場合には、例えば下方向に向けて三角形状とするなど、立体型マスク１の装着位置を確認できるように構成すれば、その形状および配置などは問わない。
【００６１】
また、この第３接合部23は、例えば熱シール、超音波シール、あるいは接着剤などの任意の方法により形成されるが、第１接合部６および第２接合部14と同じ接合方法とすることが製造上好ましい。
【００６２】
そして、マスク本体２を構成するシート５，５に立体型マスク１の装着位置を確認可能な第３接合部23を設けることで、上記各関連技術と同様の作用効果を奏することができる。
【００６３】
さらに、第２接合部14をシート５，５の他側部に沿って線状に形成することで、第２接合部14の近傍のマスク本体２と耳掛け部３，３とが重なり合っている部分全体が硬くなってしまうことがなく、良好な装着感を得ることができるとともに、目印部を、第２接合部14の間にてマスク本体２と耳掛け部３，３とを接合する第３接合部23とすることで、この第３接合部23によりマスク本体２から耳掛け部３，３が外れてしまうことを防止できる。
【図面の簡単な説明】
【００６４】
【図１】本発明の第１の関連技術の立体型マスクを示す側面図である。
【図２】同上立体型マスクを示す正面図である。
【図３】同上立体型マスクの他の関連技術を示す側面図である。
【図４】本発明の第２の関連技術の立体型マスクを示す側面図である。
【図５】同上立体型マスクの他の関連技術を示す側面図である。
【図６】本発明の第３の関連技術の立体型マスクを示す側面図である。
【図７】本発明の第４の関連技術の立体型マスクを示す側面図である。
【図８】本発明の一実施の形態の立体型マスクを示す側面図である。
【符号の説明】
【００６５】
１    立体型マスク
２    マスク本体
３    耳掛け部
５    シート
６    第１接合部
11    上方部分
12    下方部分
14    第２接合部
23    目印部としての第３接合部
【図１】
0004820151.tif 000002
【図２】
0004820151.tif 000003
【図３】
0004820151.tif 000004
【図４】
0004820151.tif 000005
【図５】
0004820151.tif 000006
【図６】
0004820151.tif 000007
【図７】
0004820151.tif 000008
【図８】
0004820151.tif 000009